(57)【要約】      （修正有）【課題】安定して、真っ直ぐな罫引線を罫引くことができると共に、厚さの異なる板材に対応できる罫引を提供する。【解決手段】案内板１１と、案内板１１に垂直に摺動自在に差し込まれた棹１２と、棹１２に取り付けられた罫引刃１３と、案内板１１に垂直に取り付けられたローラ１４とによって、罫引１を構成する。ローラ１４は、ネジ４２に、径の異なる複数のスリーブ部材を重ねて取り付けた構造とし、簡単に着脱できるようにする。ローラ１４と棹１２との間に板材を挟み、板材の端面に沿って、罫引１を真っ直ぐに動かして、罫引きを行う。このとき、罫引刃１３とローラ１４との２点を板材に圧着させながら、罫引きを行うと、罫引刃１３を板材の内部に深く切り込みながら、円滑に、然も、安定して、罫引きを行うことができる。【選択図】図１
0003140907.tif 000002
【実用新案登録請求の範囲】
【請求項１】
案内板と、
前記案内板に対して垂直に摺動自在に差し込まれた棹と、
前記棹に取り付けられた罫引刃と、
前記案内板の隅に垂直に取り付けられたローラとを備え、
前記ローラと前記棹との間に板材を挟んで罫引きを行うことを特徴とする罫引。
【請求項２】
前記ローラは、径の異なる複数のスリーブ部材を着脱自在に重ねて装着したことを特徴とする請求項１に記載の罫引。
【請求項３】
前記ローラは、前記罫引刃に対向する側で、罫引方向に対して、前記棹より後側となる隅に配設したことを特徴とする請求項１又は２に記載の罫引。
【請求項４】
さらに、前記案内板上に、保持部材を設けるようにしたことを特徴とする請求項１乃至３の何れかに記載の罫引。
【請求項５】
前記保持部材は、前記案内板上に着脱自在に装着したことを特徴とする請求項請求項４に記載の罫引。
【請求項６】
さらに、前記棹の先端の端面に、回動部材を設けるようにしたことを特徴とする請求項１乃至５の何れかに記載の罫引。
【考案の詳細な説明】
【技術分野】
【０００１】
本考案は、板材を所定の寸法で罫引き、寸法線を描いたり、切断したりするのに用いる罫引に関する。
【背景技術】
【０００２】
従来の罫引５０１は、図１０に示すように、案内板５１１と、案内板５１１に垂直に摺動自在に差し込まれた棹５１２と、棹５１２に取り付けられた罫引刃５１３とから構成されている。案内板５１１に対する棹５１２の位置は、楔５１４で固定できる。このような従来の罫引５０１は、図１１に示すように、案内板５１１を石膏ボード等の板材５０２の端面５０２ａに密接させ、板材５０２の端面５０２ａに沿って、罫引５０１を罫引方向Ａ１０１に真っ直ぐに動かして、罫引きを行う。
【０００３】
かかる従来の罫引５０１では、棹５１２が案内板５１１に対して垂直を保った状態で摺動可能とされている。このため、板材５０２の端面５０２ａから所定の寸法の所に、罫引線５０３を罫引くことができる。
【０００４】
また、特許文献１には、図１２に示すように、案内板６０２と、溝付プレート６０４に設置された罫引棒６０１とから構成され、目盛りをつけた罫引棒６０１をスライドさせる溝付プレート６０４に垂直に、案内板６０２を設け、この案内板６０２に垂直にピース６０７を設けた罫引棒が記載されている。かかる罫引棒では、石膏ボード等の板材に対して所定の寸法で効率的に罫引きを行うことができる。
【特許文献１】実開昭５３−６５１００号公報
【考案の開示】
【考案が解決しようとする課題】
【０００５】
図１０に示した従来の罫引５０１では、図１１に示したように、罫引５０１を板材５０２の端面５０２ａに沿って動かす際に、その動きが安定せず、案内板５１１を板材５０２の端面５０２ａに沿って押しつけるようにしないと、真っ直ぐに罫引線５０３を描くことができない。特に、罫引５０１により板材５０２に傷を付け、板材５０２を割って切断するような場合には、罫引刃５１３を板面に食い込ませる必要があり、刃の食い込む力に負けてしまい、正確な直線の罫引線５０３を罫引くことは、困難である。
【０００６】
図１２に示した特許文献１の罫引棒の場合には、案内板６０２に垂直にピース６０７が設けられている。このため、ピース６０７と罫引棒６０１の刃先との間に板材を挟んで、安定した罫引きを行うことができる。
【０００７】
ところが、特許文献１に記載されている罫引棒では、罫引きを行う際に、ピース６０７と板材との間に摩擦力が生じるため、罫引棒を円滑に移動できない。
【０００８】
また、特許文献１に記載されている罫引棒では、ピース６０７の位置が固定しているため、様々な厚さの板材に対応できない。すなわち、特許文献１に記載されている罫引棒では、ピース６０７と罫引棒６０１の刃先の間隔が一定である。このため、厚い板材の場合には、ピース６０７と罫引棒６０１の刃先との間に板材を挟むことができず、また、薄い板材の場合には、ピース６０７と罫引棒６０１の刃先の間の板材が動いていまい、安定した罫引が行えない。
【０００９】
本考案は、上述の課題を鑑み、安定して、真っ直ぐな罫引線を罫引くことができると共に、厚さの異なる板材に対応できるようにした罫引を提供することを目的とする。
【課題を解決するための手段】
【００１０】
上述の課題を解決するために、本考案は、案内板と、案内板に対して垂直に摺動自在に差し込まれた棹と、棹に取り付けられた罫引刃と、案内板の隅に垂直に取り付けられたローラとを備え、ローラと棹との間に板材を挟んで罫引きを行うことを特徴とする罫引である。
【００１１】
好ましくは、ローラは、径の異なる複数のスリーブ部材を着脱自在に重ねて装着したことを特徴とする罫引である。
【００１２】
好ましくは、ローラは、罫引刃に対向する側で、罫引方向に対して、棹より後側となる隅に配設したことを特徴とする。
【００１３】
好ましくは、さらに、案内板上に、保持部材を設けるようにしたことを特徴とする。
【００１４】
好ましくは、保持部材は、案内板上に着脱自在に装着したことを特徴とする。
【００１５】
好ましくは、さらに、棹の先端の端面に、回動部材を設けるようにしたことを特徴とする。
【考案の効果】
【００１６】
本考案によれば、案内板と、案内板に対して垂直に摺動自在に差し込まれた棹と、棹に取り付けられた罫引刃と、案内板の隅に垂直に取り付けられたローラとを備え、ローラと棹との間に板材を挟んで罫引きを行うようにしているので、円滑に、然も、安定して、罫引きを行うことができる。
【００１７】
また、本発明によれば、ローラは、径の異なる複数のスリーブ部材を着脱自在に重ねて装着しているので、円滑に、然も、安定して、罫引きを行うことができると共に、厚さの異なる複数の板材の罫引に対応することができる。
【００１８】
また、本考案によれば、ローラは、罫引刃に対向する側で、罫引方向に対して、棹より後側となる隅に配設しているので、罫引刃とローラとの２点を板材に圧着させながら、罫引きを行うことで、罫引刃を板材の内部に深く切り込みながら、円滑に、然も、安定して、罫引きを行うことができる。
【００１９】
また、本考案によれば、さらに、案内板上に、保持部材を設けるようにしているので、板材の端面に安定して接触でき、大きな板材を、正確に罫引くことができる。
【００２０】
また、本考案によれば、保持部材は、案内板上に着脱自在に装着しているので、罫引きを行う際に、板材に応じて、保持部材を適宜取り付けることができる。
【００２１】
また、本考案によれば、さらに、棹の先端の端面に、回動部材を設けるようにしているので、罫引きを行う際に、回動部材とローラとを回転させながら、円滑に、然も、安定して、罫引きを行うことができる。
【考案を実施するための最良の形態】
【００２２】
第１実施形態．
以下、本考案の実施の形態について図面を参照しながら説明する。図１は、本考案の第１の実施形態の罫引１を示すものである。図１に示すように、本考案の第１の実施形態の罫引１は、案内板１１と、案内板１１に垂直に摺動自在に差し込まれた棹１２と、棹１２に取り付けられた罫引刃１３と、案内板１１に垂直に取り付けられたローラ１４とから構成されている。
【００２３】
案内板１１には、角穴２１が形成される。案内板１１の角穴２１に、棹１２が摺動自在に差し込まれる。棹１２には、罫引刃１３が取り付けられている。罫引刃１３は、その刃先が罫引方向Ａ１に向かって、切り出し刃となっている。案内板１１に対する棹１２は、ネジ２２で固定できる。
【００２４】
ローラ１４は、案内板１１の４つ隅１５ａ〜１５ｄのうち、罫引刃１３に対向する側で、罫引方向Ａ１に対して、棹１２より後側となる隅１５ａに、垂直に取り付けられる。つまり、後に説明するように、本考案の第１実施形態の罫引１は、ローラ１４と棹１２との間に石膏ボード等の板材２を挟み、罫引１を罫引方向Ａ１に動かして罫引きを行う。ローラ１４の位置は、罫引方向Ａ１に罫引きを行ったときに、棹１２の位置より後側となる。
【００２５】
図２（Ａ）及び図２（Ｂ）は、案内板１１と棹１２との取り付け機構を示すものである。図２（Ａ）に示すように、棹１２は、案内板１１の角穴２１に、摺動自在に差し込まれる。図２（Ｂ）にＡ−Ａ断面図で示すように、案内板１１の側面から角穴２１に向かって、ネジ穴３１が形成される。このネジ穴３１内には、四角ナット３２が配設される。ネジ穴３１内に、ネジ２２が挿入され、このネジ２２が四角ナット３２に螺合される。
【００２６】
角穴２１内の案内板１１と棹１２との間隙３４に、コ字状金具３３が挿入される。ネジ２２を締め付けていくと、ネジ２２の先端は、コ字状金具３３に当接する。ここで、ネジ２２を更に締め付けると、ネジ２２によりコ字状金具３３が押され、案内板１１に対して棹１２が固定される。ネジ２２を緩めれば、棹１２とコ字状金具３３との間に隙間ができ、棹１２は摺動可能となる。
【００２７】
図３は、ローラ１４の取り付け構造を示すものである。図３に示すように、案内板１１に穴４０が形成され、この穴４０に、連結ナット４１が埋設される。
【００２８】
スリーブ部材４３ｂをスリーブ部材４３ａに重ねて、スリーブ部材４３ａの穴にネジ４２を挿通し、ネジ４２の先端をナット４６に螺合することによって、ネジ４２の頭部４５とナット４６との間に、スリーブ部材４３ａ及び４３ｂが回動自在に重ねて配置される。
【００２９】
スリーブ部材４３ａ及び４３ｂが配置されたネジ４２の先端を、案内板１１の穴４０を介して、連結ナット４１に螺合することにより、ローラ１４が案内板１１に対して垂直に取り付けられる。
【００３０】
ローラ１４は、ネジ４２の頭部４５を回すことによって、案内板１１から簡単に外すことができる。また、ローラ１４を案内板１１から外すことによって、スリーブ部材４３ａ及び４３ｂは、簡単に、着脱できるようになっている。
【００３１】
図４は、本考案の第１実施形態の罫引１の使用方法を示すものである。本考案の第１実施形態の罫引１は、図４（Ａ）に示すように、ローラ１４と棹１２との間に板材２を挟み、図４（Ｂ）に示すように、板材２の端面２ａに沿って、罫引１を罫引方向Ａ１に真っ直ぐに移動して、罫引きを行う。このとき、本考案の第１実施形態の罫引１では、図４（Ａ）の矢印Ｂ１で示すように、罫引刃１３が板材２に食い込むように罫引１に力を加え、罫引刃１３とローラ１４との２点を板材２に圧着させながら、罫引きを行う。このようにすると、罫引刃１３が板材２の内部に深く切り込み、しかも円滑に、安定して、真っ直ぐに罫引きを行うことができる。このようにして描かれた石膏ボード上の罫引線に沿って力を加えると石膏ボードは容易に２つに割れる。
【００３２】
図５は、本考案の第１実施形態の罫引１の他の使用方法を示すものである。図５（Ａ）は、図４（Ａ）の罫引１を板材２の裏側に罫引線１６を付けるような使用方法を示す図である。図５（Ａ）に示すように、ローラ１４と棹１２との間に板材２を挟み、図５（Ｂ）に示すように、罫引１のローラ１４が板材２の裏面に接するように罫引１を取りつけ、板材２の端面２ａに沿って、罫引１を罫引方向Ａ１に真っ直ぐに移動して、罫引きを行う。このとき、本考案の第１実施形態の罫引１の他の使用法においても、図５（Ａ）の矢印Ｂ１で示すように、罫引刃１３が板材２に食い込むように罫引１に力を加え、罫引刃１３とローラ１４との２点を板材２に圧着させながら、罫引きを行う。このようにすると、罫引刃１３が板材２の裏面の内部に深く切り込み、しかも円滑に、安定して、真っ直ぐに罫引きを行うことができる。このようにして罫引１を裏返して石膏ボードの表面とそれに対応する裏面の位置に罫引線を引き、これらの罫引線に沿って力を加えると石膏ボードはさらに容易に２つに割れる。
【００３３】
さらに、本考案の第１実施形態では、図３に示したように、ローラ１４は、回動軸となるネジ４２に、径の異なる２つのスリーブ部材４３ａ及び４３ｂを重ねて取り付けた構造となっている。前述したように、ローラ１４のスリーブ部材４３ａ及び４３ｂは、ネジ４２を外すことにより、簡単に着脱できる。板材２の厚さに応じて、ネジ４２に挿通するスリーブ部材４３ａ及び４３ｂの個数を変更することで、厚さの異なる板材２に対応できる。
【００３４】
つまり、ローラ１４の径は、ネジ４２に挿通するスリーブ部材４３ａ及び４３ｂの個数により、変更することができる。ローラ１４の径が変わると、ローラ１４と棹１２に取り付けられた罫引刃１３との間隔が変わってくる。板材の厚さは規格化されており、例えば、天井板として使用されている板材の厚さは、９ｍｍ、１２ｍｍ、１５ｍｍ、…のように、３ｍｍ毎になっている。したがって、例えば、スリーブ部材４３ａ、４３ｂを１個ずつ追加する毎に、ローラ１４の径が３ｍｍずつ変化するようにすれば、各板材の厚さに対応できる。
【００３５】
例えば、板材の厚さが１５ｍｍのときには、図６（Ａ）に示すように、スリーブ部材４３ａのみを装着して罫引きを行う。この場合、スリーブ部材４３ａを装着することにより、ローラ１４と棹１２に取り付けられた罫引刃１３の先端までの間隔Ｌ１を１５ｍｍとすることにより、１５ｍｍの板材の厚さに対応することができる。
【００３６】
また、板材の厚さが１２ｍｍのときには、図６（Ｂ）に示すように、スリーブ部材４３ａに４３ｂを重ねて装着して、罫引きを行う。この場合、スリーブ部材４３ｂを装着することにより、ローラ１４の径は、さらに３ｍｍ太くなり、ローラ１４と棹１２に取り付けられた罫引刃１３までの間隔Ｌ２は、（１５ｍｍ−３ｍｍ＝１２ｍｍ）となり、１２ｍｍの板材の厚さに対応することができる。
【００３７】
同様に、板材の厚さが９ｍｍのときには、図６（Ｃ）に示すように、スリーブ部材４３ａ、４３ｂの上に第３のスリーブ部材４３ｃを重ねて装着して、罫引きを行うことにより、ローラ１４の径は、さらに３ｍｍ太くなり、ローラ１４と棹１２に取り付けられた罫引刃１３までの間隔Ｌ３は、（１５ｍｍ−３ｍｍ−３ｍｍ＝９ｍｍ）となり、９ｍｍの板材の厚さに対応することができる。
【００３８】
以上説明したように、本考案の第１実施形態の罫引１では、案内板１１の４つ隅１５ａ〜１５ｄのうち、罫引刃１３に対向する側で、罫引方向Ａ１に対して、棹１２より後側となる隅１５ａに、ローラ１４が垂直に取り付けられている。このため、ローラ１４と棹１２との間に、板材２を挟み、罫引刃１３とローラ１４との２点を圧着させながら、罫引きを行うと、罫引刃１３が板材２の内部に深く切り込み、しかも円滑に、安定して、真っ直ぐに罫引きを行うことができる。
【００３９】
また、本考案の第１実施形態の罫引１では、ローラ１４のスリーブ部材４３ａ、４３ｂ、４３ｃは、ネジ４２を外すことにより、簡単に着脱できる。このため、ネジ４２に挿通するスリーブ部材４３ａ、４３ｂ、４３ｃの個数を変更することにより、厚さの異なる複数の板材に対応できる。
【００４０】
なお、上述の例では、ローラ１４を、２つのスリーブ部材４３ａ及び４３ｂを重ねて装着して構成しているが、スリーブ部材の数は、これに限定されるものではなく、さらに複数の径の異なるスリーブ部材を装着すれば、さらに、複数の厚さの板材に対応できる。
【００４１】
第２実施形態．
図７は、本考案の第２の実施形態を示すものである。上述の第１の実施形態の罫引１と同様に、本考案の第２実施形態の罫引１０１は、案内板１１１と、案内板１１１に垂直に摺動自在に差し込まれた棹１１２と、棹１１２に取り付けられた罫引刃１１３と、案内板１１１に垂直に取り付けられたローラ１１４とを備えている。また、この実施形態では、棹１１２は、長棹となっている。さらに、本考案の第２実施形態の罫引１０１では、案内板１１１に、断面Ｌ字形の保持部材１１５が取り付けられる。保持部材１１５は、ネジ１５１により案内板１１１に取り付けられている。
【００４２】
上述のように、本考案の第２実施形態の罫引１０１は、棹１１２が長棹となっている。長棹の罫引１０１は、特に、大きな板材を罫引くときに使用される。大きな板材を罫引く場合には、案内板１１１の長さが短いと、罫引１０１を真っ直ぐに移動させる作業は大変である。そこで、本考案の第２実施形態の罫引１０１では、案内板１１１に、断面Ｌ字形の保持部材１１５を取り付けることで、板材の端面に安定して接触できるようにしている。これにより、大きな板材を、正確に罫引くことができる。他の構成については、前述の第１実施形態と同様であり、その説明は省略する。
【００４３】
第３実施形態．
図８は、本考案の第３実施形態の罫引２０１を示すものである。本考案の第３実施形態の罫引２０１は、上述の第２実施形態の罫引１０１と同様に、案内板２１１と、案内板２１１に垂直に摺動自在に差し込まれた棹２１２と、棹２１２に取り付けられた罫引刃２１３と、案内板２１１に垂直に取り付けられたローラ２１４と、保持部材２１５とが備えられている。保持部材２１５はネジ１５１によって案内板２１１に取りつけられる。さらに、この第３実施形態の罫引２０１では、棹２１２の先端の端面に、回動部材２１６が取り付けられる。
【００４４】
回動部材２１６は、図９に示すように、車軸２６１と、車軸２６１に回動自在に取り付けられた車輪２６２とからなる。車輪２６２は、棹２１２の端面から僅かに下方に突出するように配置される。
【００４５】
かかる本考案の第３実施形態の罫引２０１では、棹２１２の先端の端面に、回動部材２１６が取り付けられているため、罫引きを行う際に、回動部材２１６とローラ２１４とを回転させながら、円滑に、然も、安定して、真っ直ぐに罫引きを行うことができる。
【００４６】
また、この第３実施形態の罫引２０１は、図９に示すように、保持部材２１５を、棹２１２の位置を固定させるコ字状金具２３３に挟持させることで、案内板２１１に取り付けている。このため、保持部材２１５を簡単に着脱できる。
【００４７】
つまり、図９に示すように、保持部材２１５の中央付近に切欠２５１が形成され、この切欠２５１部分に棹２１２が配置される。そして、ローラ２１４が保持部材２１５を介して案内板２１１に取り付けられる。
【００４８】
かかる本考案の第３実施形態の罫引２０１では、ローラ２１４を外して、ネジ２２２を緩めれば、保持部材２１５を簡単に着脱することができる。このため、罫引きを行う際に、板材に応じて、保持部材２１５を適宜取り付けることができる。他の構成については、前述の第２実施形態と同様であり、その説明は省略する。
【００４９】
本考案は、上述した実施形態に限定されるものではなく、本考案の要旨を逸脱しない範囲内で様々な変形や応用が可能である。
【産業上の利用可能性】
【００５０】
本考案は、板材を所定の寸法で罫引き、寸法線を描いたり、切断したりするのに用いることができる。
【図面の簡単な説明】
【００５１】
【図１】本考案の第１実施形態の罫引の構成を示す斜視図である。
【図２】本考案の第１実施形態の罫引における案内板と棹との取り付け構造を示す平面図及び断面図である。
【図３】本考案の第１実施形態の罫引における案内板とローラとの取り付け構造を示す分解斜視図である。
【図４】本考案の第１実施形態の罫引の使用方法の説明図である。
【図５】本考案の第１実施形態の罫引の他の使用方法の説明図である。
【図６】本考案の第１実施形態の罫引におけるローラ径の変更の説明図である。
【図７】本考案の第２実施形態の罫引の構成を示す斜視図である。
【図８】本考案の第３実施形態の罫引の構成を示す斜視図である。
【図９】本考案の第３実施形態の罫引の説明図である。
【図１０】従来の罫引の一例の斜視図である。
【図１１】従来の罫引の使用方法の説明図である。
【図１２】従来の罫引棒の他の例の斜視図である。
【符号の説明】
【００５２】
１  罫引
２  板材
１１  案内板
１２  棹
１３  罫引刃
１４  ローラ
１５ａ〜１５ｄ  隅
１６  罫引線
２１  角穴
２２  ネジ
３１  ネジ穴
３２  四角ナット
３３  コ字状金具
３４  間隙
４０  穴
４１  連結ナット
４２  ネジ
４３ａ、４３ｂ  スリーブ部材
４５  頭部
４６  ナット
１０１  罫引
１１１  案内板
１１２  棹
１１３  罫引刃
１１４  ローラ
１１５  保持部材
１５１  ネジ
２０１  罫引
２１１  案内板
２１２  棹
２１３  罫引刃
２１４  ローラ
２１５  保持部材
２１６  回動部材
２２２  ネジ
２３３  コ字状金具
２５１  切欠
２６１  車軸
２６２  車輪
【図１】
0003140907.tif 000003
【図２】
0003140907.tif 000004
【図３】
0003140907.tif 000005
【図４】
0003140907.tif 000006
【図５】
0003140907.tif 000007
【図６】
0003140907.tif 000008
【図７】
0003140907.tif 000009
【図８】
0003140907.tif 000010
【図９】
0003140907.tif 000011
【図１０】
0003140907.tif 000012
【図１１】
0003140907.tif 000013
【図１２】
0003140907.tif 000014